【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
被検体の第１の検査データを解析することにより、前記被検体の診断のための複数の項目それぞれに関する前記被検体の状態を示す情報を第１の生成所見として生成する第１の生成手段と、
前記第１の検査データに基づく前記被検体の診断のための項目に関する前記被検体の状態を示す情報を、操作部からの入力に基づいて第１の読影所見として取得する第１の取得手段と、
前記第１の生成所見と前記第１の読影所見に含まれるそれぞれの項目における差異に関する情報を取得する差異情報取得手段と、
前記第１の検査データよりも新しい前記被検体の第２の検査データを解析することにより、前記被検体の診断のための複数の項目それぞれに関する前記被検体の状態を示す情報を第２の生成所見として生成する第２の生成手段と、
前記差異に関する情報を、前記第２の生成所見とともに表示部に表示させる表示制御手段と、
を有することを特徴とする情報処理装置。
【請求項２】
前記第１の検査データは、前記被検体の複数の時系列検査データであり、
前記第１の生成手段は、前記第１の生成所見として前記複数の時系列検査データにおける生成所見を生成し、
前記第１の取得手段は、前記第１の読影所見として前記複数の時系列検査データにおける読影所見を取得することを特徴とする請求項１に記載の情報処理装置。
【請求項３】
前記差異情報取得手段は、前記第２の検査データに基づいて、前記複数の時系列検査データの中から前記第２の検査データに関連する検査データを選択することを特徴とする請求項２に記載の情報処理装置。
【請求項４】
前記差異情報取得手段は、前記被検体が手術を受けた部位の医用画像が前記第２の検査データに含まれる場合には、前記複数の時系列検査データのうち、前記手術を受けた時点よりも新しい検査データを選択することを特徴とする請求項３に記載の情報処理装置。
【請求項５】
前記第１の生成手段又は前記第２の生成手段のいずれかによって生成される生成所見は、前記被検体の画像を解析することにより自動的に生成される自動生成所見であり、
前記表示制御手段は、前記生成所見が自動生成所見であることを示す情報とともに、前記生成所見を前記表示部に表示させることを特徴とする請求項１乃至４のいずれか１項に記載の情報処理装置。
【請求項６】
前記第２の検査データに基づく前記被検体の診断のための項目を、操作部からの入力に基づいて第２の読影所見として取得する第２の取得手段を更に有し、
前記第１の取得手段又は前記第２の取得手段のいずれかによって取得される読影所見は、前記表示制御手段で提示された前記生成所見を変更する指示が前記操作部から入力されることによって取得されることを特徴とする請求項５に記載の情報処理装置。
【請求項７】
前記第２の検査データに基づく前記被検体の診断のための項目それぞれに関する前記被検体の状態を示す情報を、操作部からの入力に基づいて第２の読影所見として取得する第２の取得手段を更に有し、
前記第１の取得手段又は前記第２の取得手段のいずれかによって取得される読影所見は、前記表示制御手段により提示された前記生成所見に対する変更を終える指示が前記操作部から入力されることに応じて取得されることを特徴とする請求項５又は６に記載の情報処理装置。
【請求項８】
前記表示制御手段は、前記第１の生成手段又は前記第２の生成手段のいずれかによって生成される生成所見を変更する指示が前記操作部から入力されることに応じて、前記自動所見であることを示す情報の表示を中止させることを特徴とする請求項５乃至７のいずれか１項に記載の情報処理装置。
【請求項９】
前記表示制御手段は、前記第２の検査データに含まれる第２の画像と、前記第２の検査データに対する第２の読影所見の入力を受け付けるためのユーザインタフェースとを表示部に表示させることを特徴とする請求項１乃至８のいずれか１項に記載の情報処理装置。
【請求項１０】
前記ユーザインタフェースは、前記表示部に表示された前記第２の生成所見を変更することにより前記第２の読影所見を入力できることを特徴とする請求項９に記載の情報処理装置。
【請求項１１】
前記表示制御手段は、前記差異に関する情報を前記ユーザインタフェースに表示させることを特徴とする請求項１０に記載の情報処理装置。
【請求項１２】
前記差異情報取得手段は、前記第１の生成所見及び前記第１の読影所見に含まれるそれぞれの項目について前記差異に関する情報を取得し、
前記表示制御手段は、前記それぞれの項目のうち差異のあった項目と対応する、前記第２の生成所見の項目の近傍に、前記差異に関する情報を示す画像を表示させることを特徴とする請求項１１に記載の情報処理装置。
【請求項１３】
被検体の第１の検査データを解析して第１の生成所見を生成する第１の生成手段と、
操作部から入力された前記第１の検査データに対する第１の読影所見を取得する第１の取得手段と、
前記第１の生成所見と前記第１の読影所見との差異に関する情報を取得する差異情報取得手段と、
前記第１の検査データよりも新しい前記被検体の第２の検査データを解析して第２の生成所見を生成する第２の生成手段と、
前記差異に関する情報を、前記第２の生成所見とともに提示する所見提示手段と、
を有することを特徴とする情報処理装置。
【請求項１４】
被検体の第１の検査データを解析することにより、前記被検体の診断のための複数の項目それぞれに関する前記被検体の状態を示す情報を第１の生成所見として生成する第１の生成手段と、
前記第１の生成所見に対して変更が行われた場合、変更後の前記被検体の状態を示す情報を第１の読影所見として取得する第１の取得手段と、
前記変更が行われたことに応じて、前記変更が行われた前記項目について差異に関する情報を取得する差異情報取得手段と、
前記複数の項目の少なくとも一部の複数の項目のうち前記差異に関する情報が取得された項目と前記差異に関する情報が取得されていない項目とを識別可能な状態で表示部に表示させる表示制御手段と、
を有することを特徴とする情報処理装置。
【請求項１５】
前記表示制御手段は、前記第１の生成所見を、前記第１の検査データに含まれる第１の画像と、前記第１の生成所見が前記第１の画像を解析することにより自動的に生成された所見であることを示す第１の情報とともに前記表示部に表示させることを特徴とする請求項１４に記載の情報処理装置。
【請求項１６】
前記表示制御手段は、前記差異に関する情報が取得されていない項目の前記第１の情報を前記表示部に表示させ、前記差異に関する情報が取得された項目の前記第１の情報を前記表示部に表示させないことにより、前記複数の項目の少なくとも一部の複数の項目のうち前記差異に関する情報が取得された項目と前記差異に関する情報が取得されていない項目とを識別可能な状態で前記表示部に表示させることを特徴とする請求項１５に記載の情報処理装置。
【請求項１７】
被検体の第１の検査データに含まれる第１の画像に含まれる領域の特徴を示す値である画像特徴量を抽出する抽出手段と、
前記抽出された前記画像特徴量に基づいて、前記被検体の診断のための複数の項目を第１の生成所見として取得する第１の取得手段と、
前記画像特徴量に基づいて、前記被検体の病名を示す推論結果を取得する推論手段と、
前記第１の生成所見と前記推論結果により示される病名とを表示部に表示させる表示制御手段と、
を有することを特徴とする情報処理装置。
【請求項１８】
前記表示制御手段は、前記第１の画像と、前記画像特徴量が抽出された領域を示す情報と、前記推論結果を得るために入力された前記第１の生成所見と、前記推論結果により示される病名とを並べて前記表示部に表示させることを特徴とする請求項１７に記載の情報処理装置。
【請求項１９】
前記差異に関する情報は、前記第１の生成所見が変更されたことに応じて取得される情報であることを特徴とする請求項１乃至１８のいずれか１項に記載の情報処理装置。
【請求項２０】
前記差異に関する情報は、前記第１の読影所見の前記第１の生成所見に対する変更の程度に関する情報であることを特徴とする請求項１９に記載の情報処理装置。
【請求項２１】
前記差異に関する情報は、前記変更の程度に基づく前記第１の生成所見に対する信頼度を示す情報であることを特徴とする請求項２０に記載の情報処理装置。
【請求項２２】
被検体の第１の検査データを解析することにより、前記被検体の診断のための複数の項目それぞれに関する前記被検体の状態を示す情報を第１の生成所見として生成する第１の生成工程と、
前記第１の検査データに基づく前記被検体の診断のための項目に関する前記被検体の状態を示す情報を、操作部からの入力に基づいて第１の読影所見として取得する第１の取得工程と、
前記第１の生成所見と前記第１の読影所見に含まれるそれぞれの項目における差異に関する情報を取得する差異情報取得工程と、
前記第１の検査データよりも新しい前記被検体の第２の検査データを解析することにより、前記被検体の診断のための複数の項目それぞれに関する前記被検体の状態を示す情報を第２の生成所見として生成する第２の生成工程と、
前記差異に関する情報を、前記第２の生成所見とともに表示部に表示させる表示制御工程と、
を有することを特徴とする情報処理方法。
【請求項２３】
被検体の第１の検査データを解析することにより、前記被検体の診断のための複数の項目それぞれに関する前記被検体の状態を示す情報を第１の生成所見として生成する第１の生成手段と、
前記第１の検査データに基づく前記被検体の診断のための項目に関する前記被検体の状態を示す情報を、操作部からの入力に基づいて第１の読影所見として取得する第１の取得手段と、
前記第１の生成所見と前記第１の読影所見に含まれるそれぞれの項目における差異に関する情報を取得する差異情報取得手段と、
前記第１の検査データよりも新しい前記被検体の第２の検査データを解析することにより、前記被検体の診断のための複数の項目それぞれに関する前記被検体の状態を示す情報を第２の生成所見として生成する第２の生成手段と、
前記差異に関する情報を、前記第２の生成所見とともに表示部に表示させる表示制御手段と、
を有することを特徴とする情報処理システム。
【請求項２４】
被検体の画像を取得する画像取得手段と、
前記画像取得手段により取得された前記画像に含まれる特徴領域を検出する検出手段と、
前記検出手段により検出された前記特徴領域について自動的に複数の所見を生成する生成手段と、
前記画像取得手段により取得された画像と関連する過去の画像についての複数の所見の情報を取得する所見取得手段と、
前記所見取得手段により取得された複数の所見の情報に関する統計情報を取得する情報取得手段と、
前記画像取得手段により取得された前記画像と、前記生成手段により自動的に生成された複数の所見と、前記検出手段により検出された特徴領域を前記画像上に示す表示と、前記情報取得手段により取得された前記統計情報とを提示する提示手段と、
を有することを特徴とする情報処理システム。
【請求項２５】
被検体の第１の検査データに含まれる第１の画像に含まれる領域の特徴を示す値である画像特徴量を抽出する抽出手段と、
前記抽出された前記画像特徴量に基づいて、前記被検体の診断のための複数の項目を第１の生成所見として取得する第１の取得手段と、
前記画像特徴量に基づいて、前記被検体の病名を示す推論結果を取得する推論手段と、
前記第１の生成所見と前記推論結果により示される病名とを表示部に表示させる表示制御手段と、
を有することを特徴とする情報処理システム。
【手続補正２】
【補正対象書類名】明細書
【補正対象項目名】発明の名称
【補正方法】変更
【補正の内容】
【発明の名称】情報処理装置、情報処理方法及び情報処理システム
【手続補正３】
【補正対象書類名】明細書
【補正対象項目名】０００８
【補正方法】変更
【補正の内容】
【０００８】
本発明の情報処理装置は、被検体の第１の検査データを解析することにより、前記被検体の診断のための複数の項目それぞれに関する前記被検体の状態を示す情報を第１の生成所見として生成する第１の生成手段と、前記第１の検査データに基づく前記被検体の診断のための項目に関する前記被検体の状態を示す情報を、操作部からの入力に基づいて第１の読影所見として取得する第１の取得手段と、前記第１の生成所見と前記第１の読影所見に含まれるそれぞれの項目における差異に関する情報を取得する差異情報取得手段と、前記第１の検査データよりも新しい前記被検体の第２の検査データを解析することにより、前記被検体の診断のための複数の項目それぞれに関する前記被検体の状態を示す情報を第２の生成所見として生成する第２の生成手段と、前記差異に関する情報を、前記第２の生成所見とともに表示部に表示させる表示制御手段と、を有する。
また、本発明の情報処理装置における他の態様は、被検体の第１の検査データを解析して第１の生成所見を生成する第１の生成手段と、操作部から入力された前記第１の検査データに対する第１の読影所見を取得する第１の取得手段と、前記第１の生成所見と前記第１の読影所見との差異に関する情報を取得する差異情報取得手段と、前記第１の検査データよりも新しい前記被検体の第２の検査データを解析して第２の生成所見を生成する第２の生成手段と、前記差異に関する情報を、前記第２の生成所見とともに提示する所見提示手段と、を有する。
また、本発明の情報処理装置におけるその他の態様は、被検体の第１の検査データを解析することにより、前記被検体の診断のための複数の項目それぞれに関する前記被検体の状態を示す情報を第１の生成所見として生成する第１の生成手段と、前記第１の生成所見に対して変更が行われた場合、変更後の前記被検体の状態を示す情報を第１の読影所見として取得する第１の取得手段と、前記変更が行われたことに応じて、前記変更が行われた前記項目について差異に関する情報を取得する差異情報取得手段と、前記複数の項目の少なくとも一部の複数の項目のうち前記差異に関する情報が取得された項目と前記差異に関する情報が取得されていない項目とを識別可能な状態で表示部に表示させる表示制御手段と、を有する。
また、本発明の情報処理装置におけるその他の態様は、被検体の第１の検査データに含まれる第１の画像に含まれる領域の特徴を示す値である画像特徴量を抽出する抽出手段と、前記抽出された前記画像特徴量に基づいて、前記被検体の診断のための複数の項目を第１の生成所見として取得する第１の取得手段と、前記画像特徴量に基づいて、前記被検体の病名を示す推論結果を取得する推論手段と、前記第１の生成所見と前記推論結果により示される病名とを表示部に表示させる表示制御手段と、を有する。
また、本発明は、上述した情報処理装置による情報処理方法、及び、情報処理システムを含む。